(57)【要約】【課題】接続端子の整列を容易にする接続端子、コネクター、コネクター・アッセンブリ、及びカメラ・アッセンブリを提供すること。【解決手段】端子壁を有して成る接続端子が提供され、端子壁はプラグイン・ホールを囲み、プラグイン・ホールは端子壁の軸方向において選択された長さで延在し、端子壁には直列的に接続されるプラグイン・セクションと支持セクションが設けられ、該プラグイン・セクションは２つ以上のばね性ストリップから構成されており、該ばね性ストリップには弾力性があり、プラグイン・ホールを囲むように円周方向に分配配置され、及び支持セクションの外側壁には支持セクションの外側壁から突出するようにボスが設けられている。【選択図】図２Ａ
0003225606.tif 000002
【実用新案登録請求の範囲】
【請求項１】
端子壁を有して成る接続端子であって、
端子壁は、該端子壁の軸方向において選択された長さで延在するプラグイン・ホールを包囲しており、
端子壁には、直列的に接続されるプラグイン・セクションと支持セクションが設けられており、
プラグイン・セクションは２又はそれよりも多いばね性ストリップを有して成り、該ばね性ストリップが弾性を有し円周方向に分配配置され、プラグイン・ホールを包囲しており、支持セクションはボスが設けられた外側壁を有して成り、該ボスが支持セクションの外側壁から突出している、接続端子。
【請求項２】
支持セクションには、該支持セクションを通るように軸方向に延在するノッチが設けられている、請求項１に記載の接続端子。
【請求項３】
プラグイン・セクションが収縮セクションをさらに有して成り、該収縮セクションにおけるプラグイン・ホールの半径方向サイズが、他のパーツにおける半径方向サイズよりも小さい、請求項１に記載の接続端子。
【請求項４】
接続端子にはフックが設けられており、該フックがボスの下方に配置されている、請求項１に記載の接続端子。
【請求項５】
ボスの数は２またはそれよりも多く、ボスが円周方向に互いに離隔している、請求項１に記載の接続端子。
【請求項６】
コネクターであって、
キャビティおよび該キャビティに連通する入口が設けられたハウジング、
プラグイン・ホールを包囲する端子壁を有して成る接続端子を有して成り、
接続端子はキャビティに可動に配置され、プラグイン・ホールと入口とは互いに対向しており、それによって、入口を介してプラグイン・ホール内へと組合せ端子を挿入できる、コネクター。
【請求項７】
接続端子の外側壁とハウジングの内側壁との間にギャップが設けられている、請求項６に記載のコネクター。
【請求項８】
接続端子が、ハウジングの半径方向にて可動に配置されている、請求項６に記載のコネクター。
【請求項９】
接続端子が、キャビティにおいていずれの半径方向にも可動に配置されている、請求項６に記載のコネクター。
【請求項１０】
接続端子には、直列的に接続されたプラグイン・セクションと支持セクションが設けられており、プラグイン・ホールはプラグイン・セクションおよび支持セクションを通るように延在しており、プラグイン・セクションは、弾性を有するような２又はそれよりも多いばね性ストリップから構成されており、該２又はそれよりも多いばね性ストリップが、プラグイン・ホールを囲むように円周方向に分配配置されている、請求項６に記載のコネクター。
【請求項１１】
支持セクションには、該支持セクションを通るように軸方向に延在するノッチが設けられている、請求項１０に記載のコネクター。
【請求項１２】
プラグイン・セクションが収縮セクションをさらに有して成り、収縮セクションにおけるプラグイン・ホールの半径方向サイズが、他のパーツにおける半径方向サイズよりも小さい、請求項１０に記載のコネクター。
【請求項１３】
接続端子には、直列的に接続されたプラグイン・セクションと支持セクションが設けられており、プラグイン・ホールはプラグイン・セクションおよび支持セクションを通るように延在しており、
支持セクションの外側壁にはボスが設けられ、該ボスが支持セクションの外側壁から突出しており、ボスの数が２またはそれよりも多く、ハウジングのキャビティ内で支持されている、請求項６に記載のコネクター。
【請求項１４】
ハウジングの内側壁には、該ハウジングの内側壁から突出する支持プラットフォームが設けられており、ボスが支持プラットフォームに支持されている、請求項１３に記載のコネクター。
【請求項１５】
接続端子の下方部にはフックが設けられており、該フックは、接続端子をハウジングにフック・アップさせ、該ハウジングと接続できるようになっている、請求項１４に記載のコネクター。
【請求項１６】
フックはボスの下方に配置されており、ボスが支持プラットフォームの上面にて支持されており、フックが支持プラットフォームの下方面に引っかけられ、ボスとフックとが、それぞれ、支持プラットフォームを下方向および上方向からクランプする、請求項１５に記載のコネクター。
【請求項１７】
支持プラットフォームの下方面には、収容凹部が設けられており、フックの端部が収容凹部に位置付けられている、請求項１６に記載のコネクター。
【請求項１８】
フックの一部又は全てが、ハウジングの外側壁から半径方向に突出している、請求項１６に記載のコネクター。
【請求項１９】
ハウジングにはスルーホールが設けられており、該スルーホールがボスと対向して位置付けられている、請求項１３に記載のコネクター。
【請求項２０】
ハウジングの外側壁には、該ハウジングの外側壁から半径方向に突出するように構成された係合ブロックが設けられており、
係合ブロックは、係合部とブロック部を有し、該ブロック部が少なくとも１つの方向において該係合部から突出している、請求項６に記載のコネクター。
【請求項２１】
係合部の側面にはステップが設けられている、請求項２０に記載のコネクター。
【請求項２２】
ハウジングの一方の端部には、端面を通り越すように軸方向に延在するノッチが設けられており、それによって、ハウジングが円周方向に２またはそれよりも多い弾性ストリップへと分けられている、請求項６に記載のコネクター。
【請求項２３】
弾性ストリップの各々の内側壁には支持プラットフォームが設けられており、弾性ストリップの各々の外側壁には係合ブロックが設けられている、請求項２２に記載のコネクター。
【請求項２４】
入口にはガイド面が設けられており、該ガイド面が、入口の端部からハウジングの内側へとテーパー状になっている、請求項６に記載のコネクター。
【請求項２５】
入口がハウジングの軸方向に選択された長さで延在しており、入口が支持ブロックを介してハウジングと接続されており、入口の周囲にて支持ブロックが１つ配置されているか、あるいは、入口の周囲にて互いに離隔するように複数の支持ブロックが配置されている、請求項６に記載のコネクター。
【請求項２６】
外側導体を更に有して成り、該外側導体がハウジングの外側にてスリーブされている、請求項６に記載のコネクター。
【請求項２７】
外側導体の下方端部には開口部が設けられており、ハウジングの外側壁には、該ハウジングの外側壁から突出するような係合ブロックが設けられており、該係合ブロックは係合部とブロック部を有し、該係合部が該ブロック部よりも小さいサイズを有し、前記開口部が係合部と係合するように構成されている、請求項２６に記載のコネクター。
【請求項２８】
前記開口部の側壁にはキャッチが設けられ、係合部の側面にはステップが設けられており、キャッチがステップに係合される、請求項２７に記載のコネクター。
【請求項２９】
外側導体の上方端部には弾性係合ストリップが設けられており、ハウジングの周囲にて互いに離隔するように複数の弾性係合ストリップが設けられている、請求項２６に記載のコネクター。
【請求項３０】
複数の弾性係合ストリップの各々が、独立に半径方向にオフセットされるようになっている、請求項２９に記載のコネクター。
【請求項３１】
弾性係合ストリップが、直列的に接続された支持部と係合部とを有して成り、支持部が外側導体と接続され、支持部と係合部とがＬ形状となっており、
弾性係合ストリップが、圧縮される際に、係合部がハウジングの端部に当接するようにハウジングに向かって収縮できるようになっている、請求項２９に記載のコネクター。
【請求項３２】
回路基板を更に有して成り、接続端子が回路基板と電気的に接続される、請求項６に記載のコネクター。
【請求項３３】
カメラ・アッセンブリであって、
請求項６〜３２のいずれかに記載のコネクター、
カメラ、
コネクター・アッセンブリおよびカメラを収容および支持するように構成されたベース、ベースをカバーするような上方カバーを有して成り、
上方カバーおよびベースが、それぞれ、コネクターおよび組合せコネクターを収容および支持するようになっており、
上方カバーおよびベースのいずれか一方には、上方カバーとベースとが互いに横断方向に動かないようにするステップが設けられている、カメラ・アッセンブリ。
【請求項３４】
組合せコネクターを更に有して成り、
組合せコネクターが、組合せハウジングおよび組合せ端子を有して成り、組合せハウジングがハウジングとプラグ着脱可能にプラグイン接続されており、組合せ端子が接続端子とプラグ着脱可能にプラグイン接続されている、請求項３３に記載のカメラ・アッセンブリ。
【考案の詳細な説明】
【技術分野】
【０００１】
本願は接続端子、コネクター、及びカメラ・アッセンブリに関する。
【背景技術】
【０００２】
実際のアプリケーションの状況において、コネクターは末端ユーザーの関連要素の複雑なアッセンブリ関係と許容誤差因子（又は許容因子；tolerance factors）の影響のため、累積許容誤差（cumulative tolerance）の問題が非常に起こりやすい。結果として、コネクターは転移（又はズレ、転置；dislocation）を受けやすく、それにより、シーリング、ハウジングの誤った配置（又は置き違い；misplacement）及びその他同類の配置を含む一連の問題の要因となる。
【考案の概要】
【０００３】
本願の目的の一つは、従来技術における欠点を克服するために接続端子の整列を容易にする接続端子、コネクター、コネクター・アッセンブリ及びカメラ・アッセンブリを提供することである。
【０００４】
本願の第１の態様に従うと、端子壁を有して成る接続端子（connecting terminal）が提供され、端子壁（terminal wall）はプラグイン・ホール（又はプラグイン穴；plug-in hole）を囲み、プラグイン・ホールは端子壁の軸方向において選択された長さで延在し、端子壁には直列的に（又は直列的に連続して；sequentially）接続されるプラグイン・セクション（plug-in section）と支持セクション（supporting section）が設けられ、該プラグイン・セクションは２つ以上のばね性ストリップ（又はスプリング性ストリップ；springy strip）から構成されており、該ばね性ストリップには弾力性があり、プラグイン・ホールを囲むように円周方向に（又は周囲にて、周縁にて；circumferentially）分配配置され（distributed）、及び支持セクションの外側壁には支持セクションの外側壁から突出するようにボス（boss）が設けられている。
【０００５】
本願の実施形態に従うと、支持セクションには該支持セクションを通って軸方向に延在するノッチ（notch）が設けられている。
【０００６】
本願の実施形態に従うと、プラグイン・セクションは収縮セクション（shrinking section）をさらに有して成り、該収縮セクションにおけるプラグイン・ホールの半径方向サイズが、他のパーツ（又は部分；parts）におけるプラグイン・ホールの半径方向サイズ（又は半径方向サイズ）よりも小さい。
【０００７】
本願の実施形態に従うと、接続端子にはフックが設けられており、該フックはボスの下方向に配置されている。
【０００８】
本願の実施形態に従うと、ボスの数は２又はそれよりも多く、該ボスは円周方向に離隔されている。
【０００９】
本願の第２の態様に従うと、コネクターは以下の構成を有している。
【００１０】
具体的にはコネクターは、キャビティ及び該キャビティと連通する入口を設けられたハウジングを有している。
【００１１】
また、コネクターは端子壁及びプラグイン・ホールを囲む該端子壁を有して成る接続端子を有している。
【００１２】
さらに、本願の第２の態様のコネクターでは、前記接続端子が移動できるようにキャビティに配置され、及びプラグイン・ホールが入口に対向して（又は反対側に；opposite）配置され、該入口がプラグイン・ホールに対して向合しており、このため組合せ（又ははめ込み、篏合；mating）端子が入口を通ってプラグインの中へ挿入され得る。
【００１３】
本願の実施形態に従うと、ギャップ（gap）は接続端子の外側壁とハウジングの内側壁の間に設けられている。
【００１４】
本出願の実施形態に従うと、接続端子がハウジングの半径方向において（in a radial direction）可動に（又は動けるように；movable）配置される。
【００１５】
本願の実施形態に従うと、接続端子が任意の半径方向にあるキャビティ（cavity）内で可動に配置される。
【００１６】
本願の実施形態に従うと、接続端子には、直列的に接続されたプラグイン・セクションと支持セクションが設けられており、プラグイン・ホールはプラグイン・セクションと支持セクションを通って延在しており、プラグイン・セクションは弾力性がある２つ以上のばね性ストリップから成っており、及び２つ以上のばね性ストリップはプラグイン・ホールを囲むように円周方向に分配配置されている。
【００１７】
本願の実施形態に従うと、支持セクションには該支持セクションを通って軸方向に延在するノッチが設けられている。
【００１８】
本願の実施形態に従うと、プラグイン・セクションは収縮セクションをさらに有してなり、プラグイン・ホールは他の部分の半径方向サイズよりも収縮セクションにて小さい半径方向サイズを有する。
【００１９】
本願の実施形態に従うと、接続端子には、直列的に接続されるプラグイン・セクションと支持セクションが設けられており、プラグイン・ホールはプラグイン・セクションと支持セクションを通って延在し、支持セクションの外側壁には該支持セクションの外側壁から突出するボスが設けられており、ボスの数は２又はそれよりも多く、ボスはハウジングのキャビティ内で支持されている。
【００２０】
本願の実施形態に従うと、ハウジングの内側壁には該ハウジングの内側壁から突出する支持プラットフォーム（supporting platform）が設けられており、ボスが支持プラットフォームで支えられる。
【００２１】
本願の実施形態に従うと、接続端子の下部には該接続端子をハウジングに引っかけて接続されることを可能とするフックが設けられている。
【００２２】
本願の実施形態に従うと、フックはボスの下方向に配置されており、ボスは支持プラットフォームの上面で支持されており、フックは支持プラットフォームの下面の上に引っかけられており、及びボスとフックは各々、下方向と上方向から支持プラットフォームをクランプする（又は挟み込む、挟持する；clamp）。
【００２３】
本形態の実施形態に従うと、支持プラットフォームの下部には収容凹部（又は収容窪み、引っ込んだ箇所；accommodating recess）が設けられており、フックの末端は収容凹に位置している。
【００２４】
本形態の実施形態に従うと、フックの一部又は全てはハウジングの外側壁から半径方向に突出する。
【００２５】
本願の実施形態によると、ハウジングにはスルーホール（through-hole）が備えられており、及びスルーホールはボスに対向して位置している。
【００２６】
本願の実施形態によると、ハウジングの外側壁には該ハウジングの外側壁から円周方向に突出する（radially protrude）ための係合ブロック（engaging block）が設けられており、係合ブロックは係合部（engaging part）とブロック部（block part）を有しており、ブロック部は少なくとも一方向に係合部から突出する。
【００２７】
本願の実施形態に従うと、係合部の側面にはステップ（step）が備えられている。
【００２８】
本願の実施形態に従うと、ハウジングの一端には端面（end face）を通って軸方向に延在するノッチが備えられており、このためハウジングは円周方向に２つ以上の弾性ストリップに分割される。
【００２９】
本願の実施形態に従うと、各弾性ストリップの内側壁には支持プラットフォームが設けられており、各弾性ストリップ（elastic strip）の外側壁には係合ブロックを設けられている。
【００３０】
本願の実施形態に従うと、入口にはガイド表面が備えられており、ガイド表面は入口の末端からハウジングの内部へとテーパー状になっている。
【００３１】
本願の実施形態に従うと、入口は、ハウジングの軸方向に選択された長さで延在し、入口は支持ブロックを通ってハウジングに接続され、入口の周囲に配置される支持ブロックの一つがあり、又は入口の周囲に離隔して支持ブロックが複数ある。
【００３２】
本願の実施形態に従うと、コネクターは外側導体（又は外部導体；outer conductor）をさらに有して成り、該外側導体はハウジングの外側にスリーブ（又は鞘状に配置される；sleeve）される（又は袖付けされる；sleeved）。
【００３３】
本願の実施形態に従うと、外側導体の下端には開口部が設けられており、ハウジングの外側壁には該ハウジングの外側壁から突出するように係合ブロックが設けられており、該係合ブロックは係合部及び少なくとも一方向に係合部から突出するブロック部を有しており、及び開口部は係合部と係合されるようになっている。
【００３４】
本願の実施形態に従うと、開口部の側壁にはキャッチ（catch）が設けられており、係合部の側面にはステップが設けられており、及びキャッチはステップと係合される。
【００３５】
本願の実施形態に従うと、外側導体の上端には弾性係合ストリップ（elastic engaging strip）が設けられており、ハウジングの周囲に離隔して弾性係合ストリップが複数ある。
【００３６】
本願の実施形態に従うと、複数の弾性係合ストリップの各々は、独立して半径方向にオフセットされる（又は曲げられる、埋め合わせられる；offset）ようになっている。
【００３７】
本願の実施形態に従うと、弾性係合ストリップは直列的に接続される支持部と係合部を有して成り、及び支持部は外側導体と接続され、支持部と係合部はＬ字形になっており、及び係合部がハウジングの端部に対して当接する（又は隣接する；abut）ように、圧縮される際に弾性係合ストリップはハウジングに向かって収縮できるようになっている。
【００３８】
本願の第３の態様に従うと、前述のコネクターと回路基板を有して成るコネクター・アッセンブリが提供され、接続端子は電気的に回路基板と接続される。
【００３９】
本願の実施形態に従うと、コネクター・アッセンブリは組合せ（又ははめ込み、篏合；mating）コネクターをさらに有して成り、組合せコネクターは組合せハウジングと組合せ端子を有して成り、該組合せハウジングはハウジングとのプラグイン接続においてプラグ接続可能であり、及び組合せ端子は接続端子とプラグイン接続においてプラグ接続可能である。
【００４０】
本願の第４の態様に従うと、カメラ・アッセンブリであって
上述のコネクター・アッセンブリ、カメラ、該コネクター・アッセンブリ及び該カメラを収容し支持するベース、及び上方カバーを備えるカメラ・アッセンブリであり、上方カバー及びベースはコネクターと組合せコネクターを、各々、収容し及び支持するようになっており、上方カバーはベースを覆うように設計され、上方カバーとベースの一方には上方カバー及びベースが互いに対して横方向に動くことを防ぐためのステップが設けられている。
【００４１】
先行技術と比較して、本願のコネクター、コネクター・アッセンブリ、及びカメラ・アッセンブリに従うと、接続端子はハウジング内で可動に配置され、プラグイン・セクションは弾性ストリップから成り、結果として弾性を有することができ、このため接続端子は、組合せ端子に関連する誤配置にも関わらず、接続端子の移動と弾性ストリップの弾性の効力（又は効能；virtue）により組合せ端子との組合せプラグイン接続のままにすることができ、これにより組合せ端子に関する誤配置と不整合（又はズレ;misalignment）による接続端子への差し込みにおける失敗を回避する。接続端子の移動と弾性は、接続端子の製造中における累積誤差により引き起こされる誤配置が組合せプラグインに影響を及ぼす問題を対処することができ、及び機械的接続及び電気的接続の信頼性を確保する。ボスを支持プラットフォームに取り付けることにより、接続端子はハウジング内に容易に動けるように配置されることができ、単純な構造を有しており、及び組み立てにおいて便利である。ボスと支持プラットフォームは円周方向に離隔しており、そのため接続端子はより大きな移動の自由度を有することができ、及び組合せ端子とのプラグイン接続がより容易になる。もし接続端子が組合せ端子との組合せプラグイン接続で誤って配置されている場合、接続端子が１つ又は２つのボスで枢動される（又は旋回する；pivot on）ことができ、それにより浮動交差を取り入れることができる。 支持プラットフォームは、上部と下部方向からフックとボスによってクランプされ、そのため接続端子とハウジングとの間の接続強度が強化されることができ、組み立て及びプラグインプロセスにおける堅固さが確保されることができる。ハウジングの入口には組合せプラグイン接続のための組合せ端子を導くことができるガイド面が設けられており、そのため組合せ端子はスムーズに接続端子と組み合わされるように導かれる。ハウジングの下部は弾性があるようになっており、このためハウジングは接続端子と容易に組み立てられることができる。支持プラットフォームの側面は傾斜面となっており、該傾斜面は組み立ての間所定の位置に組み立てられるよう接続端子を導くことができ、使用において利便性をもたらす。
【図面の簡単な説明】
【００４２】
図１は本願のカメラ・アッセンブリの構造概略図である。
【００４３】
図２Ａは図１のカメラ・アッセンブリの分解図（又は分解組立図；exploded view）である。
【００４４】
図２Ｂは図１のカメラ・アッセンブリの一部の分解図である。
【００４５】
図３は本願のコネクターの構造概略図である。
【００４６】
図４はハウジング及び接続端子の構造概略図である。
【００４７】
図５は別角度から見た図４のハウジング及び接続端子の構造概略図である。
【００４８】
図６はハウジングの一部の断面構造図である。
【００４９】
図７は本願の接続端子の構造概略図である。
【００５０】
図８は本願の外側導体の構造概略図である。
【００５１】
図９は、本願の組合せコネクターの構造概略図である。
【００５２】
図１０は本願のコネクター・アッセンブリの構造概略図である。
【００５３】
図１１は本願のコネクターと組合せコネクターとの間の組合せ関係を示す正面図である。
【００５４】
図１２は線Ａ−Ａに沿った図１１の断面図である。
【考案を実施するための形態】
【００５５】
図を参照しながら、本願を詳細に下記にて説明する。
【００５６】
図１、２Ａ、及び２Ｂに示すように、カメラ・アッセンブリ１００は上方カバー１１０、ベース１１１、カメラ１１２、及び回路基板１２０及びコネクター１３０を有して成る。上方カバー１１０はカメラ１１２、回路基板１２０、組合せ端子１２１、組合せコネクター１２２、及びコネクター１３０を支持するためのベース１１１を覆うために設けられている。ステップ１１４はベース１１１のエッジに設けられている。上方カバー１１０はステップ１１４の上に覆うように設けられている。ステップ１１４は上方カバー１１０がベース１１１に対して横方向へ移動することを防ぐことができる。図示の例では、カメラ１１２はベース１１１に設けられている。回路基板１２０、組合せ端子１２１及びコネクター１３０は上方カバー１１０及びベース１１１の内側に備えられている。実施形態の一つとして、上方カバー１１０には導出端子（leading-out terminal）が設けられても良い。カメラ１１２は回路基板１２０を通ってコネクター１３０に電気的に接続される。コネクター１３０は組合せ端子１２１にプラグ接続可能なように接続されている。組合せ端子１２１は電気的接続を可能にするために導出端子とプラグイン接続となっている。別の実施形態として、導出端子を設ける代わりに、組合せ端子１２１が上方カバー１１０を通って通過するように提供されてもよい。カメラ１１２は、ワイヤを使用して、コントローラーのような、他のデバイスに電気的に接続されてもよい。本願は、先行技術に属する、イメージ機能（又は画像化機能；imaging functions）のために必要とされる他の要素をさらに含んでもよく、本明細書では反復して説明はしない。
【００５７】
図３〜図７に示すように、本願のコネクター１３０はハウジング１３１及び接続端子１５０を有してなる。ハウジング１３１は長さ分だけ（又は長さ方向に；for length）軸方向に延在する円形の管構造体である。ハウジング１３１はキャビティ１３０１と、該キャビティ１３０１と連通する入口１３２を備えている。入口１３２は、キャビティ１３０１の半径寸法よりも小さい半径寸法を有する。入口１３２は長さ分だけ（又は長さ方向に；for length）軸方向に延在する。入口１３２は支持ブロック１３３を通ってハウジング１３１と接続され、入口１３２の周囲に設けられる一つの支持ブロック１３３、又は入口の周囲に離隔して設けられる複数の支持ブロック１３３があってもよい。図示の例では、３つの支持ブロック１３３が入口１３２の周囲に離隔して設けられている。支持ブロック１３３は、入口１３２の一方で、ハウジング１３１の他方で接続されている。入口１３２の内側壁は、入口１３２の端からハウジング１３１の内部までテーパー状となっているガイド面１３４となっており、そのため、入口は円錐台を形成する。ガイド面１３４は、組合せ端子１２１をハウジング１３１の内部の中へスムーズにガイドするために滑らかに湾曲している。
【００５８】
ハウジング１３１の下端は、軸方向に延在し及び端面を通って走る（又は端面を通り越すように設けられた）ノッチ１３５を備えられ、円周方向に分配配置した複数のノッチ１３５があってもよく、そのためハウジング１３１の下端は２つ以上の弾性ストリップ１３６に円周方向に分割されている。図示の例では、ハウジング１３１の下部を３つの弾性ストリップ１３６に分割する３つのノッチ１３５がある。ハウジング１３１の外側壁１３７には係合ブロック１３８が設けられている。係合ブロック１３８はハウジング１３１の外側壁１３７から突出して構成されている。図示の例において、３つの弾性ストリップ１３６上に個々に配置された３つの係合ブロック１３８がある。係合ブロック１３８は、ハウジング１３１の外側壁１３７から半径方向に突出する。係合ブロック１３８は直列的に接続される係合部１３８１及びブロック部１３８２を有し、及びブロック部１３８２が係合部１３８１の外側に配置され、少なくとも一方向に係合部１３８１から突出する。他の構造物が係合部１３８１と係合されるとき、ブロック部１３８２は他の構造物が係合部１３８１から外れることを防ぐために、半径方向に他の構造物をブロック（又は封鎖、塞ぐ；block）してもよい。係合部１３８１の側面１３８４にはステップ１３８３が備えられている。ステップ１３８３は、他の構造と係合接続となるべく適合されており、他の構造体が係合部１３８１から上方向又は下方向のいずれかで外れるのを防ぐことができる。
【００５９】
ハウジング１３１の内側壁１３９は支持プラットフォーム１４１を備えられている。支持プラットフォーム１４１は内側壁１３９から突出し、キャビティ１３０１の中へ延在している。支持プラットフォーム１４１は接続端子１５０を支持するために備えられている。図示される例において、円周方向に離隔して配置された複数の支持プラットフォーム１４１がある。好ましくは、弾性ストリップ１３６に個々に配置された３つの支持プラットフォーム１４１がある。支持プラットフォーム１４１の上部表面１４２は接続端子１５０を支持するために設けられており、下部表面１４３は接続端子１５０のフックとフック・アップする（又は係合する、接続する；hook up）ために設けられている。支持プラットフォーム１４１の下部表面１４３は、フックの端部を受容するために構成された収容凹部を備えている。支持プラットフォーム１４１の側面１４５は底部から頂部まで傾斜面である。ハウジング１３１はまた、外側壁１３７を通って内側壁１３９まで至るスルーホール１４６を備えられている。力（又は物理的な力；forth）は組み立て又は分解のためにスルーホール１４６を通ってキャビティ１３０１の中にある接続端子１５０に加えられてもよい。好ましくは、スルーホール１４６の下端は支持プラットフォーム１４１の上部表面１４２と整列している。
【００６０】
図７で示すように、接続端子１５０は端子壁１５０１を有して成るメス端子である。端子壁１５０１はプラグイン・ホール１５１を包囲している。プラグイン・ホール１５１は組合せ端子１２１を受容するようになっている。プラグイン・ホール１５１は接続端子１５０の軸方向にて選択された長さで延在している。図示される例において、プラグイン・ホール１５１は端子壁１５０１の軸方向に端子壁１５０１を通るように延在する。組合せ端子１２１はプラグイン・ホール１５１の中へ挿入され、その後、接続端子１５０は、接続端子１５０と組合せ端子１２１との間の電気的な接続を可能とすべく組合せ端子１２１をクランプする（又は固定する；clamp）。軸方向の端子壁１５０１は直列的に接続されたプラグイン・セクション１５２及び支持セクション１５３を有している。プラグイン・ホール１５１はプラグイン・セクション１５２と支持セクション１５３を通るように延在する。プラグイン・セクション１５２及び支持セクション１５３は特定の使用要件に従って決定され得る各々の長さを有する。円周方向におけるプラグイン・セクション１５２は弾性を有するような２つ以上のばね性ストリップ１５４から構成されている。２つ以上のばね性ストリップ１５４はプラグイン・ホール１５１を包囲するために円周方向に分配配置されている。図示の例において、３つのばね性ストリップ１５４がある。ばね性ストリップ１５４の各々は支持セクション１５３に対し一方に接続され、他方の末端は自由となっている。プラグイン・セクション１５２は収縮セクション１５５を有する。プラグイン・ホール１５１は、組合せ端子１２１をよりしっかりとクランプするように、他の部分の半径方向寸法よりも収縮セクション１５５にて小さい半径方向寸法を有する。接続端子の外側壁１５６はボス１５７を備えている。ボス１５７はキャビティ１３０１内に接続端子１５０を支持するために支持プラットフォーム１４１とフィットされる（又は合う；be fitted）ようになっている。ボス１５７は接続端子の外側壁１５６から突出するようになっている。本願の技術的解決に従うと、ボス１５７の数は好ましくは３つであり、ボス１５７は均一に円周方向に分配配置されている。ボス１５７はスタンピング（又は打ち抜き加工；stamping）により形成される。接続端子１５０の下端はフック１５８が設けられている。フック１５８は接続端子１５０が引っかけられ、及びハウジング１３１に接続されることができるように設けられている。フック１５８はＬ字型に構成されている。図示の例では、円周方向に離隔して３つのフック１５８がある。フック１５８はそれぞれボス１５７に対して上下方向にあり、上下方向に支持プラットフォーム１４１を協働的（又は共同で；jointly）にクランプすることができる。接続端子１５０はスタンプされた（又は型打ちされた；stamped）コンポーネント（又は部品；component）であり、軸状に延びるスルーノッチ（through-notch）１５９を有し、それにより接続端子１５０は一定の弾性を有する。
【００６１】
図１０、１１、及び１２に示すように、組み立ての間、接続端子１５０はキャビティ１３０１内に配置される。プラグイン・ホール１５１は入口１３２の上下方向にて接続され、その入口１３２と整列する。ボス１５７は支持プラットフォーム１４１の上部表面１４２に支持される。フック１５８は収容凹部１４４内に位置する２つのフック１５８の端部とともに支持プラットフォーム１４１の下面１４３で取り付ける（又は引っかける；hang）。ボス１５７とフック１５８は支持プラットフォーム１４１を上下からクランプする。フック１５８の一つはハウジング１３１の外側壁１３７から半径方向に突出するように延在し、それにより、溶接によって回路基板１２０と接続され、接続端子１５０と回路基板１２０との間の電気的な接続を可能にする。
【００６２】
接続端子１５０がキャビティ１３０１内に移動可能に配置されるために、ギャップが接続端子の外側壁１５６とハウジング１３１の内側壁１３９との間に設けられている。接続端子１５０はハウジング１３１の半径方向内にて動けるように、又は支点として１つ又は２つの支持プラットフォーム１４１上で枢動可能となっている。好ましくは、接続端子１５０はキャビティ１３０１内で任意の半径方向にて可動に配置される。
【００６３】
図３、及び８で示すように、本願の出願の技術的解決に従えば、コネクター１３０は管状の外側導体１６０をさらに含む。外側導体１６０ハウジング１３１の外側にスリーブされ（又は袖付けされている；is sleeved）、ハウジング１３１と接続されている。外側導体１６０の下端には軸方向に選択された長さで延在する開口部１６１が設けられている。開口部１６１の側壁はキャッチ１６２が設けられている。キャッチ１６２には、外側導体１６０がハウジング１３１と係合接続できるよう、係合部１３８１のステップ１３８３がフィットされる。外側導体１６０の上端には弾性係合ストリップ１６４が設けられており、円周方向に離隔して配置された弾性係合ストリップ１６４を複数有する。弾性係合ストリップ１６４の各々は独立して半径方向にオフセットされてもよい。弾性係合ストリップ１６４は直列的に接続される支持部１６５及び係合部１６６を有し、支持部１６５は外側導体１６０と接続される。支持部１６５と係合部１６６の両方はＬ字形である。外側導体１６０の下端はウェルド・レッグ（又は溶接脚；weld leg）１６７が備えられている。円周方向に離隔されたウェルド・レッグ１６７が複数ある。ウェルド・レッグ１６７は溶接により回路板１２０に接続される。
【００６４】
図３で示すように、回路パターン（図示せず）が回路板１２０に設けられる。本出願の好ましい実施形態では、回路基板１２０は、プリント回路パターンを備えたプリント回路基板を提供する。  
【００６５】
図９で示すように、組合せコネクター１２２は組合せ端子１２１及び組合せハウジング１２３を有して成る。組合せ端子１２１は組合せハウジング１２３に取り付けられる。組合せ端子１２１はオス端子であり、プラグイン・ホール１５１の中に挿入されることができる。組合せコネクター１２２はコネクター１３０に接続される。組合せハウジング１２３はハウジング１３１の外側にスリーブされる。３つの弾性係合ストリップ１６４はハウジング１３１の周囲に設けられ、圧縮されるときにハウジング１３１に向かって収縮する。
【００６６】
図１０〜図１２で示すように、組合せハウジング１２３は、ハウジング１３１の端部に対し、弾性係合ストリップ１６４の係合部１６６をプレスする。組合せ端子１２１は接続端子１５０のプラグイン・ホール１５１の中へ挿入される。ウェルド・レッグ１６７は溶接により回路基板１２０に接続される。接続端子１５０は支持プラットフォーム１４１の側面１４５に抗するように押圧する。側面１４５は傾斜面であるため、キャビティ１３０１の中へ接続端子１５０を容易にガイドすることができる。弾性ストリップ１３６は一定の弾性を有するため、接続端子１５０の組み立ての間、ボス１５７は支持プラットフォーム１４１に対して外側に隣接することができ、そのため弾性ストリップ１３６は組み立てを容易にするために外側に開いて支えることができる。支持プラットフォーム１４１を通過した（又は通り過ぎる；pass over）後、ボス１５７は支持プラットフォームの上面１４２に支持される。フック１５８の二つは、支持プラットフォーム１４１の底部１４３の収容凹部１４４の中へ接続される（又は引っかけられる；are hooked）。フック１５８の一つは溶接により回路基板１２０の端部に接続される。外側導体１６０は上部からハウジング１３１の外側にスリーブされ、そのため弾性係合ストリップ１６４は内側に圧縮され収縮する。組合せ端子１２１はプラグイン・ホール１５１の中へ挿入され、ばね性ストリップ１５４と電気的な接触接続される。外側導体１６０のウェルド・レッグ１６７は溶接により回路基板１２０に接続される。回路基板１２０はベース１１１に取り付けられ、カメラ１１２と電気的に接続される。上方カバー１１０はステップ１１４を囲むエッジでベース１１１の上に覆われる。組合せハウジング１２３及び組合せ端子１２１は上方カバー１１０を通り越えて（又は通り過ぎて；through and beyond）延在する。
【００６７】
先行技術と比較して、本願のコネクター、コネクター・アッセンブリ、及びカメラ・アッセンブリに従うと、接続端子はハウジング内を可動に配置され、プラグイン・セクションは弾性ストリップから成り、並びに結果として弾性を有することができ、このため、組合せ端子に関する誤配置にもかかわらず、接続端子は接続端子の動きと弾性ストリップの弾性の効力（又は効能；virtue）により組合せ端子と組合せプラグイン接続の状態のままにできる。これにより、組合せ端子に関する誤配置や位置ずれによる接続端子へのプラグ接続の失敗を回避する。接続端子の動きと弾性は、接続端子の生産の間の累積誤差により引き起こされる誤配置が組合せプラグインに影響を及ぼす問題を対処することができ、及び機械的接続と電気的接続の信頼性を確保する。ボスを支持プラットフォームに取り付けることにより、接続端子はハウジング内に容易に移動できるように配置されることができ、単純な構造を有し、及び組み立てに都合がよい。ボスと支持プラットフォームは円周方向に離隔しており、そのため接続端子はより大きな自由度を持つ動きを有することができ、及び組合せ端子とのプラグイン接続がよりし易くなる。もし接続端子が組合せ端子との組合せプラグイン接続で誤配置されたなら、接続端子は支点として一つ又は二つのボスを回すことができ、それにより、浮動誤差を取り入れる。支持プラットフォームは上下方向からフックとボスによってクランプされ、そのため接続端子とハウジングとの間の接続の強度を強化することができ、及び組み立てとプラグイン工程における堅固さを保証することができる。ハウジングの入口には組合せプラグイン接続のための組合せ端子を導くことができるガイド面が設けられており、そのため組合せ端子は接続端子をスムーズに組合せられるよう導かれる。ハウジングの下部は弾性があるようになっており、このためハウジングは接続端子と容易に組み立てられることができる。支持プラットフォームの側面は傾斜面となっており、該傾斜面は組み立ての間所定の位置に組み立てられるよう接続端子を導くことができ、使用において利便性をもたらす。
【００６８】
本願で説明される軸方向は図２Ｂで示す上下方向であり、半径方向は軸方向に対し垂直な方向である。
【００６９】
上記説明は単に本願の好ましい実施形態であり、本願の範囲を制限されることを意図されるものでもなく、本願の精神（又は目的；spirit）内で任意の変化、同等の代替や改良が本願のクレームの範囲内に含まれることを意図される。
【図１】
0003225606.tif 000003
【図２Ａ】
0003225606.tif 000004
【図２Ｂ】
0003225606.tif 000005
【図３】
0003225606.tif 000006
【図４】
0003225606.tif 000007
【図５】
0003225606.tif 000008
【図６】
0003225606.tif 000009
【図７】
0003225606.tif 000010
【図８】
0003225606.tif 000011
【図９】
0003225606.tif 000012
【図１０】
0003225606.tif 000013
【図１１】
0003225606.tif 000014
【図１２】
0003225606.tif 000015